(57)【要約】【課題】  被検眼の眼球形状を確認できる眼軸長測定装置、眼球形状情報取得方法、および眼球形状情報取得プログラムを提供する。【解決手段】  被検眼に照射された測定光と参照光との干渉信号を検出する干渉光学系を備える眼軸長測定装置であって、前記被検眼上における眼軸長の測定位置を変更する測定位置変更手段と、前記干渉光学系からの干渉信号に基づいて前記被検眼の眼軸長を取得する取得手段と、を備え、前記取得手段は、前記測定位置変更手段によって変更された異なる複数の測定位置において眼軸長を取得し、前記複数の測定位置における眼軸長に基づいて、前記被検眼の眼球形状情報を取得することを特徴とする。【選択図】      図３
2016158906.tif 000002
【特許請求の範囲】
【請求項１】
被検眼に照射された測定光と参照光との干渉信号を検出する干渉光学系を備える眼軸長測定装置であって、
前記被検眼上における眼軸長の測定位置を変更する測定位置変更手段と、
前記干渉光学系からの干渉信号に基づいて前記被検眼の眼軸長を取得する取得手段と、を備え、
前記取得手段は、前記測定位置変更手段によって変更された異なる複数の測定位置において眼軸長を取得し、前記複数の測定位置における眼軸長に基づいて、前記被検眼の眼球形状情報を取得することを特徴とする眼軸長測定装置。
【請求項２】
請求項１の眼軸長測定装置において、
前記測定位置変更手段は、前記異なる複数の測定位置として、少なくとも３つの異なる測定位置に測定位置を変更することを特徴とする眼軸長測定装置。
【請求項３】
請求項２の眼軸長測定装置において、
前記測定位置変更手段は、前記被検眼の基準軸に対する前記干渉光学系の測定光軸の相対角度を変更することによって、眼軸長の測定位置を変更し、前記少なくとも３つの異なる測定位置として、少なくとも、前記基準軸と前記測定光軸とが一致する第１測定位置に、測定位置を変更することを特徴とする眼軸長測定装置。
【請求項４】
請求項３の眼軸長測定装置において、
前記測定位置変更手段は、前記少なくとも３つの異なる測定位置として、前記第１測定位置を通る軸の一方の側の領域に位置する第２測定位置と、他方の領域に位置する第３測定位置と、に測定位置を変更することを特徴とする眼軸長測定装置。
【請求項５】
請求項４の眼軸長測定装置において、
前記第２測定位置と前記第３測定位置とは、前記第１測定位置を通る軸を中心として、対称の測定位置であることを特徴とする眼軸長測定装置。
【請求項６】
請求項４又は５の眼軸長測定装置において、
前記第１測定位置と、前記第２測定位置と、前記第３測定位置と、は、１つの経線上に位置する測定位置であることを特徴とする眼軸長測定装置。
【請求項７】
請求項１〜６のいずれかの眼軸長測定装置において、
前記取得手段は、前記複数の測定位置における眼軸長に基づいて、前記被検眼の眼球形状のタイプを判定し、前記被検眼の眼球形状情報として、判定結果を取得することを特徴とする眼軸長測定装置。
【請求項８】
前記測定位置変更手段は、被検眼に対して固視光を照射するための固視光源を有し、前記固視光源の位置を変更する固視位置変更手段を備え、
前記被検眼の固視位置を変更することによって、前記被検眼上における眼軸長の測定位置を変更することを特徴とする請求項１〜７のいずれかの眼軸長測定装置。
【請求項９】
前記測定位置変更手段は、前記測定光を被検眼に対して走査する走査光学系を備え、
前記測定光を走査することによって、前記被検眼上における眼軸長の測定位置を変更することを特徴とする請求項１〜７のいずれかの眼軸長測定装置。
【請求項１０】
眼球形状情報取得方法であって、
同一被検眼上における異なる複数の測定位置において測定された眼軸長を取得する眼軸長取得ステップと、
前記取得ステップにおいて取得された眼軸長に基づいて、前記被検眼の眼球形状情報を取得する形状情報取得ステップと、
を備えることを特徴とする眼球形状情報取得方法。
【請求項１１】
眼球形状情報取得装置の動作を制御する制御装置において実行される眼球形状情報取得プログラムであって、
前記制御装置のプロセッサによって実行されることで、
同一被検眼上における異なる複数の測定位置において測定された眼軸長を取得する眼軸長取得ステップと、
前記取得ステップにおいて取得された眼軸長に基づいて、前記被検眼の眼球形状情報を取得する形状情報取得ステップと、
を前記眼球形状情報取得装置に実行させることを特徴とする眼球形状情報取得プログラム。
【発明の詳細な説明】
【技術分野】
【０００１】
本開示は、被検眼の眼軸長を測定するための眼軸長測定装置、眼球の形状情報を取得するための眼球形状情報取得方法、および眼球形状情報取得プログラムに関する。
【背景技術】
【０００２】
被検眼に測定光を投光し、その反射光を検出する測定光学系を持ち、干渉光を用いて被検眼の眼軸長を非接触にて光学的に測定する非接触式眼軸長測定装置が知られている（特許文献１参照）。
【先行技術文献】
【特許文献】
【０００３】
【特許文献１】特開２００５−３４２２０４号公報
【発明の開示】
【発明が解決しようとする課題】
【０００４】
しかしながら、従来の眼軸長測定装置は１点における測定だけであり、被検眼の眼球形状の変形等による病変等を確認するには不十分であった。
【０００５】
本開示は、上記の問題点に鑑み、被検眼の眼球形状を確認できる眼軸長測定装置、眼球形状情報取得方法、および眼球形状情報取得プログラムを提供することを技術課題とする。
【課題を解決するための手段】
【０００６】
上記課題を解決するために、本開示は以下のような構成を備えることを特徴とする。
【０００７】
（１）  被検眼に照射された測定光と参照光との干渉信号を検出する干渉光学系を備える眼軸長測定装置であって、前記被検眼上における眼軸長の測定位置を変更する測定位置変更手段と、前記干渉光学系からの干渉信号に基づいて前記被検眼の眼軸長を取得する取得手段と、を備え、前記取得手段は、前記測定位置変更手段によって変更された異なる複数の測定位置において眼軸長を取得し、前記複数の測定位置における眼軸長に基づいて、前記被検眼の眼球形状情報を取得することを特徴とする。
（２）  眼球形状情報取得方法であって、同一被検眼上における異なる複数の測定位置において測定された眼軸長を取得する眼軸長取得ステップと、前記取得ステップにおいて取得された眼軸長に基づいて、前記被検眼の眼球形状情報を取得する形状情報取得ステップと、を備えることを特徴とする。
（３）  眼球形状情報取得装置の動作を制御する制御装置において実行される眼球形状情報取得プログラムであって、前記制御装置のプロセッサによって実行されることで、
同一被検眼上における異なる複数の測定位置において測定された眼軸長を取得する眼軸長取得ステップと、前記取得ステップにおいて取得された眼軸長に基づいて、前記被検眼の眼球形状情報を取得する形状情報取得ステップと、を前記眼球形状情報取得装置に実行させることを特徴とする。
【図面の簡単な説明】
【０００８】
【図１】本装置の光学系を示す概略図である。
【図２】固視灯の移動を説明するための図である。
【図３】本装置の制御動作を示すフローチャートである。
【図４】眼球変形の種類を説明するための図である。
【図５】眼球形状の演算について説明するための図である。
【図６】表示部に表示される画面の一例を示す図である。
【図７】角膜形状を用いた眼球形状の演算補正について説明するための図である。
【図８】眼球形状の別の演算方法について説明するための図である。
【図９】第２実施例の光学系を示す概略図である。
【図１０】第２実施例の導光光学系について説明するための図である。
【図１１】第２実施例において取得される断層画像の一例を示す図である。
【発明を実施するための形態】
【０００９】
＜概要＞
以下、本実施形態の概要について、図１〜図１１を用いて説明する。本実施形態の眼軸長測定装置は、被検眼の眼球形状情報を取得することができる。例えば、眼軸長測定装置は、被検眼の眼軸長を測定する第１測定モード（眼軸長測定モード）と、被検眼の眼球形状情報を取得する第２測定モード（眼球形状情報取得モード）と備え、モードを選択して、測定動作を設定することができる。
【００１０】
眼軸長測定装置は、例えば、干渉光学系（例えば、投光光学系１０、受光光学系２０など）と、測定位置変更手段（例えば、本実施形態においては、制御部８０、固視光学系５０など）と、取得手段（例えば、本実施形態においては、制御部８０など）と、を備える。例えば、干渉光学系は、被検眼に照射された測定光と参照光との干渉信号を検出してもよい。
例えば、本装置において、第２測定モードに設定された場合に、取得手段は、測定位置変更手段によって変更された異なる複数の測定位置において眼軸長を取得し、複数の測定位置における眼軸長に基づいて、被検眼の眼球形状情報を取得する。
【００１１】
例えば、測定位置変更手段は、被検眼上における眼軸長の測定位置を変更する。例えば、測定位置変更手段は、被検眼の固視位置を変更させ、眼軸長の測定位置を変更する構成であってもよい。この場合、例えば、本実施形態において、測定位置変更手段としては、固視位置変更手段を用いて、固視位置を変更させる構成が挙げられる。例えば、固視位置変更手段は、固視光学系５０（例えば、固視光源５１、駆動部５２等）を制御して、固視位置を変更させる。例えば、固視位置変更手段としては、固視光源５１の点灯位置を制御する構成が挙げられる。また、例えば、固視位置変更手段としては、固視光源５１を移動させる構成が挙げられる。また、例えば、固視位置変更手段としては、固視光源５１から出射された固視光束を走査する構成が挙げられる。このようにして、測定位置変更手段は、眼軸長の測定位置を変更してもよい。
【００１２】
また、例えば、測定位置変更手段としては、走査光学系（例えば、走査光学系１２３など）によって干渉光学系からの測定光を被検眼上に走査させることによって、眼軸長の測定を変更してもよい。
【００１３】
また、例えば、測定位置変更手段としては、干渉光学系を収納した装置本体と、被検眼との相対位置を調整することによって、眼軸長の測定位置を変更するようにしてもよい。この場合、例えば、装置本体と、被検眼との相対位置を調整する構成としては、装置本体を被検眼に対して移動させる構成、被検者の顎を支持する顎台を装置本体に対して移動させる構成、等を用いてもよい。
【００１４】
なお、例えば、測定位置変更手段は、異なる複数の測定位置としては、２つの異なる測定位置、３つの異なる測定位置等、の任意の数の測定位置に設定することができる。例えば、測定位置変更手段が少なくとも３つの異なる測定位置に測定位置を変更する構成の場合に、取得手段は、測定位置の異なる２つの眼軸長に基づいて眼球形状情報を取得するよりも、より確実に眼球形状情報を取得することができる。
【００１５】
なお、より詳細には、例えば、測定位置変更手段は、例えば、少なくとも３つの異なる測定位置として、少なくとも、被検眼の基準軸と測定光軸とが一致する第１測定位置に測定位置を変更するようにしてもよい。被検眼の基準軸における眼軸長が測定されることによって、別に測定された正常眼の眼軸長との比較等を行い易い。
【００１６】
なお、以下の説明において、被検眼の基準軸は、被検眼の視軸として説明するが、これに限らない。例えば、被検眼の基準軸は、被検眼の光軸であってもよい。ここで、被検眼の視軸とは、例えば、注視する点（例えば、固視位置）と眼の中心窩とを結ぶ線である。また、被検眼の光軸とは、例えば、眼の全ての光学系（例えば、角膜、水晶体等）の曲率中心を通る線であり、視軸とは異なる。例えば、基準軸を被検眼の光軸とする場合、測定位置変更手段は、視軸に対して所定量だけ測定位置をずらすことによって、被検眼の光軸上に測定位置を設定してもよい。より詳細には、例えば、固視を用いて測定位置を設定する場合に、基準軸を視軸とした場合の固視の呈示位置よりも所定量だけ固視の呈示位置をずらすことによって、被検眼の光軸に干渉光学系の光軸を一致させることができる。なお、所定量は、固視をずらすための所定量は、一般的に視軸と光軸がずれる量を用いることができる。
【００１７】
測定位置変更手段は、例えば、第１測定位置の他に、さらに、第１測定位置を通る軸よりも一方の側の領域に位置する第２測定位置と、他方の領域に位置する第３測定位置と、に変更するようにしてもよい。例えば、第１測定位置を通る軸としては、水平方向、鉛直方向、斜め方向（水平方向と鉛直方向の間の方向）等の方向に設定される。
【００１８】
例えば、第１測定位置、第２測定位置、第３測定位置は、１つの経線上に設定されるようにしてもよい。すなわち、第１測定位置、第２測定位置、第３測定位置は、水平方向、鉛直方向、斜め方向（水平方向と鉛直方向の間の方向）に並んで設定されるようにしてもよい。ここで、例えば、経線とは、眼球の視軸を含む平面で眼球を切ったときの切り口の曲線であってもよい。つまり、測定位置変更は、例えば、視軸上に位置する第１測定位置と、第２測定位置及び第３測定位置とが直線的に並ぶように測定位置を変更してもよい。以上のように、測定位置が１つの経線上に位置することによって、取得手段は眼球形状情報の取得を容易に行える。例えば、取得手段は、眼球形状を楕円によって近似する場合などの演算が容易に行える。
【００１９】
なお、例えば、第２測定位置と第３測定位置は、第１測定値を通る軸を中心として対称的であってもよい。これによって、検者は、被検眼の眼球形状の対称性を確認しやすくなる。なお、対称とは、水平方向に対称（左右対称）であってもよいし、鉛直方向に対称（上下対称）であってもよいし、斜め方向に対称であってもよい。
【００２０】
なお、例えば、測定位置変更手段は、第２測定位置、第３測定位置としては、眼内の基準となる位置を回旋点として旋回させた位置で設定されるようにしてもよい。例えば、第２測定位置としては、前眼部では第１測定位置に対して右側にシフトした位置に、眼底部では第１測定位置に対して左側にシフトした位置に、干渉光学系の測定光が照射される。また、例えば、第３測定位置は、前眼部では第１の測定位置に対して左側にシフトした位置に、眼底部では第１測定位置に対して右側にシフトした位置に、干渉光学系の測定光が照射される。
【００２１】
例えば、眼球形状情報とは、各測定位置での眼軸長結果を比較可能にした情報（例えば、複数の測定位置とその測定位置において取得された眼軸長とが関連付けられた情報、複数の測定位置で比較した眼軸長の差分情報等）、正常眼の眼軸長情報に対する取得された被検眼の眼軸長の差分情報、各測定位置での眼軸長結果より眼球の形状を演算した演算結果情報（例えば、眼球形状を示す近似式、眼球形状を示すグラフィック、眼球形状の結果を分類した情報等）、等であってもよい。なお、眼球形状情報とは、眼球の外面形状に限らず、内面形状に関する情報であってもよい。
【００２２】
例えば、複数の測定位置とその測定位置において取得された眼軸長とが関連付けられた情報は、各測定位置で取得された眼軸長が同一画面上に表示される構成であってもよい。また、例えば、各測定位置が示された表示と、各眼軸長の測定結果が表示される構成であってもよい。
【００２３】
例えば、複数の測定位置で比較した眼軸長の差分情報としては、第１測定位置に対しての各測定位置での眼軸長の差分値を表示するようにしてもよい。また、例えば、第２測定位置と第３測定位置との差分値を表示するようにしてもよい。
【００２４】
例えば、正常眼の眼軸長情報に対する取得された被検眼の眼軸長の差分情報は、記憶部に記憶されたデータベースと、被検眼を測定して得られた眼軸長とを比較することによって、取得してもよい。この場合に、例えば、記憶部（例えば、メモリ８５）に、複数の測定位置において測定された正常眼の眼軸長がデータベースとして記憶されてもよい。
また、例えば、眼球形状の分類情報としては、眼軸長が疾病等によって変形したときの眼球形状がどのタイプに分類されるかを判定した判定結果であってもよい。例えば、取得手段は、複数の測定位置における眼軸長に基づいて、被検眼の眼球形状のタイプを判定し、被検眼の眼球形状情報として、判定結果を取得する。なお、疾病等によって変形した眼球は、例えば、鼻側突出型、耳側突出型、紡錘型、樽型の４つの形状等に分類される。
【００２５】
さらに、取得手段は、３つの測定位置における眼軸長に基づいて被検眼の形状と近似する楕円を求め、楕円の短径と長径の比率によって眼球形状を分類してもよい。
【００２６】
また、少なくとも２つの経線上において、それぞれ、少なくとも３つの測定位置において眼軸長を測定し、測定された各経線上において、それぞれの少なくとも３つの測定位置における眼軸長に基づいて被検眼の形状と近似する楕円を求めてもよい。そして少なくとも２の経線上のそれぞれの短径と長径の比率から眼球形状を分類してもよい。
【００２７】
＜実施例＞
以下、実施例を図面に基づいて説明する。図１は、本実施例に係る眼軸長測定装置の光学系の概略構成図である。なお、本実施例においては、被検眼の奥行き方向をＺ方向（光軸Ｌ１方向）、奥行き方向に垂直な平面において水平方向をＸ方向、鉛直方向をＹ方向として説明する。
【００２８】
＜干渉光学系＞
干渉光学系は、例えば、被検眼の眼軸長を測定する。本実施例の干渉光学系は、例えば、タイムドメイン方式の干渉光学系である。もちろん、Time-domain OCT（ＴＤ−ＯＣＴ）に限らず、Spectral-domain OCT（ＳＤ−ＯＣＴ）、Swept-source OCT（ＳＳ−ＯＣＴ）等のフーリエドメイン方式の干渉光学系であってもよい。
【００２９】
干渉光学系は、例えば、光源１と、ビームスプリッタ５と、投光光学系（照射光学系）１０と、受光光学系２０と、光路長変更部材とを主に備える。光源１は、例えば、低コヒーレント光を出射してもよい。ビームスプリッタ５は、例えば、出射された光を第１分割光と第２分割光に分割してもよい。投光光学系１０は、例えば、第１分割光を被検眼の眼底に向けて照射してもよい。受光光学系２０は、例えば、受光素子２１を備えてもよい。受光素子２１は、例えば、被検眼の眼底で反射された第１分割光と、第２分割光を合成して受光する。光路変更部材は、例えば、三角プリズム７であってもよい。光路変更部材は、第１分割光と第２分割光の光路長を変更するために、駆動部７１によって移動可能に一方の光路に配置されてもよい。干渉光学系は、受光素子２１から出力される受光信号に基づいて被検眼の眼軸長を測定する。
【００３０】
前述の光学系の具体的構成について以下に説明する。照射光学系１０は、例えば、被検眼角膜と被検眼眼底に測定光を照射するために配置される。照射光学系１０は、例えば、測定光源１（例えば、ＳＬＤ）と、コリメータレンズ３と、ビームスプリッタ５と、第１三角プリズム（コーナーキューブ）７と、第２三角プリズム９と、偏光ビームスプリッタ１１と、１／４波長板１３と、ダイクロイックミラー１５と、検査窓１７と、を有する。
【００３１】
測定光源１は、例えば、低コヒーレント光を出射してもよい。コリメータレンズ３は、測定光源１から出射された光束を平行光束とする。ビームスプリッタ５は、光源１から出射された光を分割してもよい。第１三角プリズム７は、ビームスプリッタ５の透過方向に配置されてもよい、第２三角プリズム９は、ビームスプリッタ５の反射方向に配置されてもよい。
【００３２】
受光光学系２０は、例えば、照射光学系１０によって照射された測定光による角膜反射光と眼底反射光による干渉光を受光するために配置されてもよい。受光光学系２０は、例えば、検査窓１７と、ダイクロイックミラー１５と、１／４波長板１３と、偏光ビームスプリッタ１１と、集光レンズ１９と、受光素子２１と、を有する。本装置は、角膜での反射光と眼底での反射光の干渉光を受光素子２１にて検出する。
【００３３】
三角プリズム７は、光路長を変更させるための光路長変更部材として用いられ、駆動部７１（例えば、モータ）の駆動によってビームスプリッタ５に対して光軸方向に直線的に移動される。この場合、光路長変更部材は、三角ミラーであってもよい。プリズム７の駆動位置は、位置検出センサ７２（例えば、ポテンショメータ、エンコーダ、等）によって検出されてもよい。
【００３４】
光源１から出射された光（直線偏光）は、コリメータレンズ３によってコリメートされた後、ビームスプリッタ５によって第１測定光（参照光）と第２測定光とに分割される。そして、第１測定光（第２分割光）は、三角プリズム７によって反射され、また第２測定光（第１分割光）は、三角プリズム９によって反射され、各々折り返された後、ビームスプリッタ５によって合成される。そして、合成された光は、偏光ビームスプリッタ１１によって反射され、１／４波長板１３によって円偏光に変換された後、ダイクロイックミラー１５及び検査窓１７を介して少なくとも被検眼角膜と眼底に照射される。このとき、測定光束は、被検者眼の角膜と眼底にて反射されると、１／２波長分位相が変換される。
【００３５】
角膜反射光及び眼底反射光は、検査窓１７及びダイクロイックミラー１５を介して、１／４波長板１３によって直線偏光に変換される。その後、偏光ビームスプリッタ１１を透過した反射光は、集光レンズ１９によって集光された後、受光素子２１によって受光される。
【００３６】
なお、以上の説明において、光路長変更部材は、光路分割部材によって分割される測定光路のいずれかに配置され、分割された測定光路間の光路差が調整されるように移動されればよい。具体的には、光路長変更部材及び光路分割部材は、図１のように照射光学系１０の光路中に配置される他、受光光学系２０の光路、又は照射光学系１０と受光光学系２０の共通光路に配置された構成であってもよい。
【００３７】
＜前眼部撮像光学系＞
ダイクロイックミラー１５の反射方向には、前眼部撮像光学系３０が設けられる。前眼部撮像光学系３０は、被検眼の前眼部を撮像するために配置される。撮像光学系３０は、光源１から出射された光を透過し前眼部照明光源４０から出射された光を反射する特性を有するダイクロイックミラー１５、対物レンズ３１、全反射ミラー３３、結像レンズ３５、二次元撮像素子３７、を有する。ここで、照明光源４０によって赤外照明された前眼部像は、検査窓１７、ダイクロイックミラー１５、対物レンズ３１、反射ミラー３３、結像レンズ３５を介して、二次元撮像素子３７に結像される。
＜固視光学系＞
固視光学系５０は、被検眼Ｅの視線方向を誘導する。図２は、固視光学系について説明するための図である。固視光学系５０は、被検眼Ｅに呈示する固視光源５１を有し、複数の方向に被検眼Ｅを誘導できる。例えば、固視光源５１は、可視光を発する。固視光源５１からの固視光は、ビームスプリッタ５を透過し、三角プリズム９によって反射させる。そして固視光は再び、ビームスプリッタ５を透過し、偏光ビームスプリッタ１１によって反射され、１／４波長板１３、ダイクロイックミラー１５、検査窓１７を透過し、被検眼に投影される。
【００３８】
例えば、固視光学系５０は、視標の呈示位置を二次元的に変更させる構成を備える。これによって、視線方向が変更され、結果的に被検眼の視軸に対する測定光軸Ｌ１が変更される。例えば、図２（ａ）のように、測定光軸Ｌ１と同じ方向から固視標が呈示されると、眼底の中心部が測定部位として設定される。また、図２（ｂ）のように、被検者から見て測定光軸Ｌ１の右側から固視標が呈示されると、被検者は、固視標が呈示される右側を固視するため、眼底の右部分が測定部位として設定される。すなわち、測定光軸Ｌ１に対する視標の位置に応じて測定部位が変更される。同様に、図２（ｃ）のように、被検者から見て測定光軸Ｌ１の左側から固視標が呈示されると、被検者は、固視標が呈示される左側を固視するため、眼底の左部分が測定部位として設定される。
【００３９】
本実施例の固視光学系５０は、例えば、固視光源５１を移動させる駆動部５２を備える（図２参照）。制御部５２は駆動部５２を駆動させて固視光源５１を移動させることによって、固視位置を変更させる。なお、固視光学系５０としては、例えば、マトリクス状に配列されたＬＥＤの点灯位置により固視位置を調整する構成、光源からの光を光スキャナによって走査させる構成、ＬＣＤ等の光源の点灯制御によって固視位置を調整する構成等、種々の構成が考えられる。また、固視光学系５０は、内部固視灯タイプであってもよいし、外部固視灯タイプであってもよい。なお、固視光源５１は、測定光とは異なる色の光源であってもよい。これによって、固視灯の光が測定光に紛れることを低減できる。
【００４０】
＜制御系＞
次に、本実施例に係る装置の制御系について説明する。制御部８０は、ＣＰＵ（プロセッサ）、ＲＡＭ、ＲＯＭ等を備える。制御部８０のＣＰＵは、装置全体の制御を司る。ＲＡＭは、各種情報を一時的に記憶する。制御部８０のＲＯＭには、装置全体の動作を制御するための各種プログラム、初期値等が記憶されている。なお、制御部８０は、複数の制御部（つまり、複数のプロセッサ）によって構成されてもよい。
【００４１】
制御部８０には、不揮発性メモリ（記憶手段）８５、操作部（コントロール部）８４、および表示部（モニタ）８２等が電気的に接続されている。不揮発性メモリ（メモリ）８５は、電源の供給が遮断されても記憶内容を保持できる非一過性の記憶媒体である。例えば、ハードディスクドライブ、フラッシュＲＯＭ、及び、着脱可能に装着されるＵＳＢメモリ等を不揮発性メモリ８５として使用することができる。メモリ８５には、干渉光学系によって干渉信号の取得を制御するための制御プログラム、取得された干渉信号から眼軸長を取得するための制御プログラム、複数の眼軸長から被検眼の眼球形状情報を取得する制御プログラム等が記憶されている。また、メモリ８５には、干渉信号、眼軸長、眼軸長の測定位置の情報等、測定に関する各種情報が記憶される。操作部８４には、検者による各種操作指示が入力される。
【００４２】
操作部８４は、入力された操作指示に応じた信号を制御部８０に出力する。操作部８４には、例えば、マウス、ジョイスティック、キーボード、タッチパネル等の少なくともいずれかを用いればよい。
【００４３】
モニタ８２は、装置本体に搭載されたディスプレイであってもよいし、本体に接続されたディスプレイであってもよい。パーソナルコンピュータ（以下、「ＰＣ」という。）のディスプレイを用いてもよい。複数のディスプレイが併用されてもよい。また、モニタ８２は、タッチパネルであってもよい。なお、モニタ８２がタッチパネルである場合に、モニタ８２が操作部として機能する。モニタ８２には、干渉光学系によって取得された干渉信号、眼軸長、測定情報等の各種情報が表示されてもよい。
【００４４】
コントロール部８４には、測定開始のトリガ信号を発する測定開始スイッチ８４ａ、等の各種スイッチが設けられている。
【００４５】
＜制御動作＞
以上に説明した装置は、例えば、被検眼の眼軸長を測定する第１測定モードと、被検眼の眼球形状情報を取得する第２測定モードを実行可能である。以下、第２測定モードによって被検眼の眼球形状情報を取得する場合について図３のフローチャートにしたがって説明する。
【００４６】
まず検者は、被検者の顔を図示無き顔支持ユニットに支持させ、測定開始スイッチ８４ａを操作する。制御部８０は測定開始スイッチ８４ａが操作されると、固視光学系５０によって被検者に固視標を投影し、固視誘導を行う。例えば、制御部８０は、固視光源５１を点灯させ、測定光軸Ｌ１上の方向から被検眼Ｅに固視標を照射する（図２参照）。続いて制御部８０は、測定部のアライメントを開始する。制御部８０は、被検眼のアライメント状態を検出しながら、測定部を被検眼Ｅに対して上下左右及び前後方向に移動させ、被検眼Ｅに対して所定の位置関係に置く。
【００４７】
アライメントが完了すると、測定開始のトリガ信号が自動又は手動にて出力され、制御部８０によって測定光源１が点灯される。そして、照射光学系１０によって測定光が被検眼に照射されると共に、測定光による被検眼からの反射光が受光光学系２０の受光素子２１に入射される。
【００４８】
また、制御部８０は、駆動部７１の駆動を制御し、第１三角プリズム７を往復移動させる。そして、制御部８０は、受光素子２１によって干渉光が検出されたタイミングを元に、眼軸長を算出する。
【００４９】
往復移動させる場合、制御部８０は、第１三角プリズム７が第１の方向（Ａ方向）に移動されたときに受光素子２１から出力される第１の干渉信号を取得すると共に、第１の方向とは反対の第２の方向（Ｂ方向）に第１三角プリズム７が移動されたときに受光素子２１から出力される第２の干渉信号を取得し、第１の干渉信号と第２の干渉信号の各干渉信号に基づいて被検眼の眼軸長を各々測定する。
【００５０】
上記のように受光素子２１から干渉信号が出力されるときのプリズム７の移動位置は、被検眼の眼軸長に応じて異なる。そして、干渉信号が出力されたときのプリズム７の移動位置は、位置検出センサ７２から出力される信号に基づいて検出可能である。したがって、眼軸長値は、例えば、所定の演算式又はテーブル表等を用いてプリズム７の移動位置と被検眼の眼軸長との関係を予め求めておくことにより算出できる。
【００５１】
取得された被検眼の眼軸長の情報は、メモリ８５に記憶される。また、制御部８０は、所定回数の測定が完了したら（又は被検者の眼軸長値が所定数得られたら）、プリズム７の往復移動を終了し、プリズム７の移動位置を初期位置に復帰させる。
【００５２】
＜測定位置の変更＞
第１の測定が完了すると、制御部８０は、被検眼の固視位置を変更する。例えば、制御部８０は、駆動部５２によって固視光源５１の位置を制御し、被検眼Ｅの固視位置を変更する。例えば、図２に示すように、第１の測定では固視光源５１を固視位置Ｍ１に配置し、第２の測定では固視位置Ｍ１から被検眼に対して水平方向左側に位置する固視位置Ｍ２に固視光源５１を移動させる。被検眼の視軸Ｌ９は、固視光源５１の位置が固視位置Ｍ１から固視位置Ｍ２に切り換わることによって、光軸Ｌ１の方向から光軸Ｌ２の方向に切り換わる。このように、制御部８０は、固視光源５１の点灯位置を切り換えることによって、被検者の固視位置を変化させ、測定光軸Ｌ１に対して被検眼の視軸Ｌ９を傾斜させる。制御部８０は、被検者の視軸Ｌ９に対して傾斜した方向から測定光を照射して眼軸長を測定する。従って、図２に示すように、視軸Ｌ９に対して斜め方向の眼軸長を測定することになる。本実施例では、例えば、視軸に対して±θ°傾斜した方向から被検眼の眼軸長を測定する。そのため、制御部８０は、例えば、駆動部５２を駆動し、測定光軸Ｌ１の方向から固視標を照射するための固視位置Ｍ１と、測定光軸Ｌ１に対して水平方向左側にθ°傾斜した方向から固視標を投影するための固視位置Ｍ２と、測定光軸Ｌ１に対して水平方向右側に−θ°傾斜した方向から固視標を投影するための固視位置Ｍ３とに固視光源５１を移動させてもよい。
【００５３】
なお、固視光源５１を移動させる方向は水平方向でなくともよい。例えば、固視光源５１は垂直方向に移動させてもよいし、斜め方向に移動させてもよい。さらに固視光源５１は、直線的に移動させなくともよく、曲線的に移動させてもよい。
【００５４】
なお、上記の例では、視軸Ｌ９に対して左右にθ°傾けた固視位置に固視光源５１を移動させたが、視軸に対して左右（または上下）対称的に固視光源５１を移動させなくてもよく、左右（または上下）非対称的に固視光源５１を移動させてもよい。
【００５５】
制御部８０は、例えば、固視光源５１の固視位置を切り換えて被検眼Ｅの眼軸長を測定し、その結果をメモリ８５に記憶する。制御部８０は、少なくとも２つの異なる固視位置において被検眼Ｅの眼軸長を測定する。本実施例では、固視位置の切り換えと測定をそれぞれ３回行った場合を説明するが、２回以上固視位置を切り換えて測定を行えばよい。
【００５６】
＜眼球変形の分類＞
制御部８０は、例えば、メモリ８５に記憶された眼軸長の測定結果に基づいて眼球形状を判定する。なお、眼球形状を判定する例としては、例えば、いくつかの眼球形状のタイプに分類する方法が考えられる。
【００５７】
例えば、病的近視等における眼球形状の変形は、図４に示すように、正常眼以外に主に４つのタイプに分類できる。例えば、図４（ａ）は、正常眼である。図４（ｂ）は、左右非対称で眼底が鼻側に突出した鼻側突出型である。図４（ｃ）は、左右非対称で眼底が耳側に突出した耳側突出型である。図４（ｄ）は、左右対称で眼底がとがっている紡錘型である。図４（ｅ）は、左右対称で眼底が丸く出っ張っている樽型である。制御部８０は、例えば、被検眼に対して複数の方向から眼軸長に基づいて上記のような眼球変形のタイプを分類する。
【００５８】
例えば、制御部８０は、異なる測定位置から測定された３つの眼軸長の内、固視光源５１の位置が固視位置Ｍ１の場合に測定した眼軸長と、固視光源５１の位置が固視位置Ｍ２または固視位置Ｍ３の場合に測定した眼軸長の長さを比べることによって、眼球変形を分類してもよい。なお、以下の例では、測定光軸Ｌ１と視軸Ｌ９とのなす角度（以下、画角という）によって異なる測定位置を説明する。
【００５９】
制御部８０は、例えば、異なる測定位置として画角０°、画角θ°、画角−θ°の３方向から眼軸長を測定し、眼球の形状を分類してもよい。例えば、制御部８０は、まず、画角０°のときに測定した眼軸長に基づいて、眼球が変形しているか判定してもよい。例えば、測定された眼軸長と正常眼の眼軸長との差分が所定より大きい場合、被検眼が病的に変形していると判定してもよい。
【００６０】
さらに、制御部８０は、画角θ°における眼軸長と画角−θ°における眼軸長を比較し、その差分の大きさによって眼球形状を分類してもよい。例えば、左眼の被検眼の場合、画角θ°における眼軸長が画角−θ°における眼軸長より大きい場合、被検眼の眼球形状は鼻側突出型であると判定してもよい。逆に、画角θ°における眼軸長が画角−θ°における眼軸長より小さい場合、被検眼の眼球形状は、耳側突出型であると判定してもよい。
【００６１】
なお、画角θ°における眼軸長と画角−θ°における眼軸長の差分が小さい場合、制御部８０は、眼球形状が左右対称型であると判定してもよい。この場合、制御部８０は、画角０°における眼軸長と画角θ°または−θ°における眼軸長とを比較し、その差分の大きさに基づいて、被検眼が紡錘型であるか樽型であるかを判定してもよい。例えば、制御部８０は、両者の差分が大きかった場合、被検眼の眼球形状は紡錘型であると判定し、差分が小さかった場合、被検眼の眼球形状は樽型であると判定してもよい。
【００６２】
もちろん、制御部８０は、正常眼の各画角で撮影された眼軸長をメモリ８５に記憶しておき、正常眼の被検眼の眼軸長を比較することによって被検眼の眼球変形を分類してもよい。例えば、制御部８０は、各画角において測定された正常眼の眼軸長と、被検眼の眼軸長との差分の大きさに基づいて、眼球変形のタイプを分類できるようにしたテーブルを予めメモリ８５に記憶しておき、この対応関係に基づいて眼球変形のタイプを分類してもよい。  なお、必ずしも、画角０°における眼軸長を測定しなくともよく、視軸と対称的な画角±θ°における眼軸長のみを測定してもよい。この場合、制御部８０は、画角±θ°における眼軸長を比較し、その差分が大きい場合に被検眼の眼球形状が左右非対称型であると判定し、差分がしい際場合に左右対称型であると判定してもよい。
【００６３】
以上のように、複数の異なる測定位置における眼軸長を測定することによって病的な眼球変形を分類することができる。このため、検者は、強度近視の病状、進行状況等を確認でき、さらに、今後の病状などを予想することができる。さらに、ＣＴやＭＲＩ等を用いて大がかりな測定を行う必要がなく、スクリーニングとして簡易的に測定できるため、強度近視の早期発見に繋がる。
【００６４】
なお、以上の説明において、制御部８０は固視光源５１を水平方向に移動させるものとして説明したが、これに限らない。例えば、制御部８０は、固視光源５１を垂直方向に移動させてもよい。これによって、被検眼の上下方向の眼球形状を分類してもよい。また、水平方向・垂直方向に限らず、例えば、斜め方向に固視光源５１を移動させてもよい。
【００６５】
＜眼底形状の近似＞
なお、制御部８０は、メモリ８５に記憶された少なくとも複数の測定結果から眼球形状の近似を行ってもよい。例えば、制御部８０は、眼軸長の測定結果から眼球形状の近似曲線（楕円）を求めてもよい。図５（ａ）に示すように、例えば、画角０°、画角θ°、画角−θ°において測定された眼軸長と同じ長さを持つ線分Ｄ１，Ｄ２，Ｄ３の始点をそれぞれ始点Ｐ１，Ｐ２，Ｐ３、終点をそれぞれ終点Ｑ１，Ｑ２，Ｑ３とする。また、線分Ｄ１，Ｄ２，Ｄ３の中点をそれぞれ中点Ｃ１，Ｃ２，Ｃ３とする。例えば、中点Ｃ１、中点Ｃ２、中点Ｃ３を極座標系の原点とし、始点Ｐ１，Ｐ２，Ｐ３と終点Ｑ１，Ｑ２，Ｑ３をそれぞれ極座標で表す。そして、終点Ｑ１，Ｑ２，Ｑ３（または始点Ｐ１，Ｐ２，Ｐ３）の座標を通り、極座標の原点を中心とする楕円を楕円の方程式によって求めることで、眼底の形状を楕円で近似してもよい。制御部８０は、上記のような演算を行い、測定された複数の眼軸長から眼球形状を近似してもよい。
【００６６】
なお、制御部８０は、近似された楕円形状に基づいて眼球変形のタイプを分類してもよい。例えば、楕円Ｒ１の長径Ｂに対する短径Ａの比を求め、その比が所定より大きければ正常眼に分類し、その比が所定より小さければ病的近視眼に分類してもよい。例えば、制御部８０は、実験的に得られた短径Ａと長径Ｂの比と、測定した眼球変形のタイプとの対応関係をメモリ８５に記憶させておき、被検眼Ｅの眼底形状を近似した楕円Ｒ１の短径Ａと長径Ｂの比と、メモリ８５に記憶させた対応関係とに基づいて眼球変形のタイプを分類してもよい。なお、制御部８０は、楕円の傾斜角αの大きさに基づいて被検眼の左右対称性を判定してもよい。
【００６７】
＜表示＞
なお、制御部８０は、上記のようにして演算された眼球変形の分類情報を出力してもよい。例えば、上記のようにして分類した眼球変形のタイプの名称を表示部８２に表示させてもよい（図６参照）。さらに、近似した楕円Ｒ１を表示部８２に表示してもよいし、近似した楕円に基づいて算出された眼球のグラフィック画像を表示部８２に表示させてもよい。さらに、制御部８０は、異なる測定位置において測定された眼軸長の差分を表示部８２に表示してもよい。例えば、検者は、表示された差分が大きい場合に、被検眼に病的近視等の異常があると判断できる。近似した楕円Ｒ１または眼球のグラフィック画像と、正常眼のグラフィック画像を比較できるように表示部８２に表示してもよい。また、制御眼において測定されたデータと、被検眼のデータを比較した比較結果を表示部８２に表示してもよい。これによって、検者は、被検眼の変形具合を視覚的に確認でき、病的近視眼の診断を容易に行える。
【００６８】
なお、制御部８０は、眼球形状情報として、複数の測定位置と、複数の測定位置において測定された眼軸長とが対応された状態で、表示部８２に並列して表示させてもよい。検者は、表示部８２に表示させれた眼軸長の測定位置と、その眼軸長を確認し、眼球形状を診断してもよい。
【００６９】
なお、眼球変形を解析する際に角膜形状を用いてもよい。例えば、本装置は、角膜形状を測定するための角膜形状測定手段を備えてもよい。角膜形状測定手段は、例えば、光干渉断層計、シャインプルークカメラ、ケラトメータ、角膜トポグラフィ等であってもよい。
【００７０】
例えば、前述のように、各眼軸長の中点Ｃ１、Ｃ２、Ｃ３を重ね、さらに始点Ｐ１、Ｐ２、Ｐ３が角膜形状Ｋに合うように線分Ｄ１，Ｄ２，Ｄ３の位置を画角一定のもとで調整してから終点Ｑ１、Ｑ２、Ｑ３の座標を用いて楕円近似を行ってもよい（図７参照）。このように、被検眼の角膜形状に基づいて眼球形状の近似を補正してもよい。
【００７１】
なお、以上の説明において、眼軸長と同じ長さを持つ線分Ｄ１，Ｄ２，Ｄ３の中点を極座標系の原点として、眼球形状の楕円近似を行ったが、これに限らない。例えば、図８に示すように、始点Ｐ１，Ｐ２，Ｐ３から所定の距離だけ離れた位置をそれぞれ基準点Ｕ１，Ｕ２，Ｕ３とする。そして、制御部８０は、基準点Ｕ１，Ｕ２，Ｕ３を極座標系の原点に重ねたときの眼軸長の終点Ｑ１、Ｑ２、Ｑ３の座標を用いて近似曲線を求めてもよい。ここで、始点Ｐ１，Ｐ２，Ｐ３から基準点までの所定距離は、例えば、実験的に求められた距離であってもよい。例えば、角膜から眼の回旋中心までの距離（例えば、１３ｍｍ）であってもよい。この場合も、上記のように角膜形状に基づいて眼球形状の近似を補正してもよい。
【００７２】
また、例えば、受光光学系２０によって検出された干渉信号において角膜または水晶体の境界が検出できた場合、角膜、水晶体等の位置を基準として、被検眼の眼球形状を分類してもよい。例えば、制御部８０は、線分Ｄ１，Ｄ２，Ｄ３において、水晶体の前面に相当する位置をそれぞれ基準点Ｕ１，Ｕ２，Ｕ３としてもよい。そして、制御部８０は、基準点Ｕ１，Ｕ２，Ｕ３を極座標系の原点に重ねたときの終点Ｑ１，Ｑ２，Ｑ３の座標を用いて近似曲線を求めてもよい。なお、水晶体の後面を基準としてもよいし、水晶体の前面と後面の中間の位置を基準としてもよい。
【００７３】
また、光干渉断層計またはシャインプルークカメラ等の断層像撮影手段によって角膜または水晶体の曲面形状が測定できる場合、例えば、水晶体の前面カーブと後面カーブの２つの交点を通る線分の中点を上記のような基準点Ｕ１，Ｕ２，Ｕ３としてもよい。そして、基準点Ｕ１，Ｕ２，Ｕ３を極座標系の原点に重ね、そのときの終点Ｑ１，Ｑ２，Ｑ３の座標を用いて近似曲線を求めてもよい。
【００７４】
なお、上記のように、眼軸長の中点以外を基準点として眼球形状を近似する場合、被検眼の眼球形状が左右非対称であると、取得された楕円の中心が視軸に対してずれる。したがって、制御部は視軸と楕円中心のずれ量によって被検眼の左右対称性を判定し、眼球変形のタイプを分類してもよい。
【００７５】
なお、眼球形状情報と、眼底情報とに基づいた情報を出力するようにしてもよい。例えば、眼底情報としては、眼底の層情報等を用いることができる。例えば、干渉光学系または他の装置によって脈絡膜の厚さを測定することができる場合は、眼球変形の分類情報と、脈絡膜厚を一緒に表示させる構成が挙げられる。眼球変形によって薄くなった脈絡膜の厚さ情報を確認できることでより効果的に診断を行える。
【００７６】
また、上記説明においては、角膜反射光と眼底反射光を干渉させる構成としたが、これに限るものではない。すなわち、光源から出射された光を分割するビームスプリッタ（光分割部材）と、物体光路を形成するサンプルアームと、参照光路を形成するレファレンスアームと、干渉光を受光するための受光素子と、を有し、サンプルアームを介して被検眼眼底に照射された測定光（第１分割光）とレファレンスアームからの参照光（第２分割光）とによる干渉光を受光素子により受光する干渉光学系を備える眼軸長測定装置であっても、本発明の適用は可能である。この場合、サンプルアーム及びレファレンスアームの少なくともいずれかに光路長変更部材が配置される。
【００７７】
＜第２実施例＞
なお、本装置は、被検眼の光断層像を撮影するフーリエドメイン方式のＯＣＴ装置１０１であってもよい（図９参照）。例えば、ＯＣＴ装置１０１は、ＯＣＴ光学系２００を備えてもよい。ＯＣＴ光学系２００は、測定光源１２７から発せられた光束を測定光と参照光に分割する。さらに、ＯＣＴ光学系２００は、分割された測定光束を被検眼の眼底Ｅｒに導き、参照光を参照光学系２００ｂに導く。その後、眼底Ｅｒで反射又は後方散乱された測定と参照光とが合成された光の干渉信号を検出器（受光素子）１８３によって検出する。
【００７８】
ＯＣＴ光学系２００は、例えば、ファイバーカップラー１２６と、測定光源１２７と、光ファイバ１３８ａ，１３８ｂ，１３８ｃ，１３８ｄと、測定光学系２００ａと、参照光学系２００ｂと、分光光学系８００と、を備える。
【００７９】
［ＯＣＴ光源］
測定光源１２７はＯＣＴ光学系２００の測定光及び参照光として用いられる低コヒーレントの光を発する光源であり、例えば、ＳＬＤ光源等が用いられる。測定光源１２７には、例えば、中心波長８４０ｎｍで５０ｎｍの帯域を持つ光源が用いられる。
【００８０】
［ファイバ］
光ファイバ１３８ａ，１３８ｂ，１３８ｃ，１３８ｄは、内部に光を通過させ、測定光源１２７、カップラー１２６、測定光学系２００ａ、参照光学系２００ｂ、分光光学系８００等を繋ぐ。
【００８１】
［ファイバーカップラー］
ファイバーカップラー１２６は光分割部材と光結合部材としての役割を兼用する。測定光源１２７から発せられた光は、導光路としての光ファイバ１３８ａを介して、ファイバーカップラー１２６によって参照光と測定光とに分割される。測定光は光ファイバ１３８ｂを介して被検眼Ｅへと向かい、参照光は光ファイバ１３８ｃ（ポラライザ（偏光素子）１３３）を介して参照ミラー１３１へと向かう。
【００８２】
［測定光学系］
測定光学系２００ａは、例えば、測定光を被検眼眼底Ｅｒに導く。測定光学系２００ａは、コリメータレンズ１２１、フォーカス用光学部材（フォーカシングレンズ）１２４、走査光学系（光スキャナ）１２３と、リレーレンズ１２２等が配置されている。走査光学系１２３は、例えば、２つのガルバノミラーによって構成され、走査駆動機構１５１の駆動により、測定光源１２７から発せられた測定光を眼底上で二次元的（ＸＹ方向）に走査させるために用いられる。なお、走査光学系１２３は、例えば、ＡＯＭ（音響光学素子）やレゾナントスキャナ等によって構成されていてもよい。
【００８３】
フォーカシングレンズ１２４は、駆動部１２４ａの駆動によって、光軸方向に移動可能となっており、被検者眼底Ｅｒに対する視度を補正するために用いられる。
【００８４】
なお、フォーカシングレンズ１２４は、駆動部１２４ａの駆動によって光軸方向に移動され、その移動可能範囲が設定されている。フォーカシングレンズ１２４は、例えば、屈折力が−１４Ｄに対応する位置（−１４Ｄの屈折力でフォーカスが合う位置）から屈折力が＋１４Ｄに対応する位置までの範囲を移動可能である。
【００８５】
光ファイバ１３８ｂの端部１３９ｂから出射した測定光は、コリメータレンズ１２１によってコリメートされる。その後、測定光は、フォーカシングレンズ１２４を介して走査光学系１２３に達し、２つのガルバノミラーの駆動により反射方向が変えられる。そして、走査光学系１２３で反射された測定光は、リレーレンズ１２２を介して、後述するダイクロイックミラー１４０で反射された後、導光光学系１１０を介して、被検眼眼底に集光される。
【００８６】
そして、眼底Ｅｒで反射した測定光は、導光光学系１１０を介して、ダイクロイックミラー１４０で反射され、ＯＣＴ光学系２００に向かう。その後、眼底Ｅｒで反射した測定光は、リレーレンズ１２２、走査光学系１２３の２つのガルバノミラー、フォーカシングレンズ１２４及びコリメータレンズ１２１を介して、光ファイバ１３８ｂの端部１３９ｂに入射する。端部１３９ｂに入射した測定光は、光ファイバ１３８ｂ、ファイバーカップラー１２６、光ファイバ１３８ｄを介して、光ファイバ１３８ｄの端部１８４ａに達する。
【００８７】
［参照光学系］
参照光学系２００ｂは、参照光を生成する。参照光は、眼底Ｅｒによって反射された測定光の反射光と合成される光である。参照光学系２００ｂは、マイケルソンタイプであってもよいし、マッハツェンダタイプであっても良い。参照光学系２００ｂは、例えば、反射光学系（例えば、参照ミラー１３１）によって形成され、カップラー１２６からの光を反射光学系により反射することにより再度カップラー１２６に戻し、検出器１８３に導く。他の例としては、参照光学系２００ｂは、透過光学系（例えば、光ファイバー）によって形成され、カップラー１２６からの光を戻さず透過させることにより検出器１８３へと導く。
【００８８】
例えば、参照光を参照ミラー１３１に向けて出射する光路には、光ファイバ１３８ｃ、参照光を出射する光ファイバ１３８ｃの端部１３９ｃ、コリメータレンズ１２９、参照ミラー１３１が配置されている。光ファイバ１３８ｃは、参照光の偏光方向を変化させるため、駆動機構１３４により回転移動される。すなわち、光ファイバ１３８ｃ及び駆動機構１３４は、偏光方向を調整するためのポラライザ１３３として用いられる。なお、ポラライザとしては、上記構成に限定されず、測定光の光路又は参照光の光路に配置されるポラライザを駆動させることにより、測定光と参照光の偏光状態を略一致させるものであればよい。例えば、１／２波長板や１／４波長板を用いることやファイバに圧力を加えて変形させることで偏光状態を変えるもの等が適用できる。
【００８９】
なお、ポラライザ１３３（偏光コントローラ）は、測定光と参照光の偏光方向を一致させるために、測定光と参照光の少なくともいずれかの偏光方向を調整する構成であればよい。例えば、ポラライザ１３３は、測定光の光路に配置された構成であってもよい。
【００９０】
また、参照ミラー駆動部１５０は、参照ミラー１３１を駆動させ、参照光の光路長を調整する。
【００９１】
光ファイバ１３８ｃの端部１３９ｃから出射した参照光は、コリメータレンズ１２９で平行光束とされ、参照ミラー１３１で反射される。その後、参照光はコリメータレンズ１２９によって集光されて光ファイバ１３８ｃの端部１３９ｃに入射する。端部１３９ｃに入射した参照光は、光ファイバ１３８ｃ、光ファイバ１３８ｃ（ポラライザ１３３）を介して、ファイバーカップラー１２６に達し、ファイバ１３８ｄを介して分光光学系８００に導かれる。
【００９２】
［分光光学系］
分光光学系８００は、例えば、参照光と測定光による干渉光を周波数（波長）毎に分光し、分光された干渉光を検出器１８３（本実施例においては、１次元受光素子）に受光させる。
【００９３】
そして、測定光源１２７から発せられた光によって前述のように生成される参照光と被検眼眼底Ｅｒに照射された測定光である眼底反射光は、ファイバーカップラー１２６にて合成されて干渉光とされる。その後、干渉光は、光ファイバ１３８ｄを通じて端部１８４ａから出射される。分光光学系８００（スペクトロメータ部）は、周波数毎の干渉信号を得るために干渉光を周波数成分に分光する。分光光学系８００（スペクトロメータ部）は、例えば、コリメータレンズ１８０、グレーティングミラー（回折格子）１８１、集光レンズ１８２、検出器１８３を有する。検出器８３は、赤外域に感度を有する一次元素子（ラインセンサ）を用いている。
【００９４】
ここで、端部１８４ａから出射された干渉光は、コリメータレンズ１８０にて平行光とされた後、グレーティングミラー１８１にて周波数成分に分光される。そして、周波数成分に分光された干渉光は、集光レンズ１８２を介して、検出器１８３の受光面に集光する。これによって、検出器８３上で干渉縞のスペクトル情報（スペクトル信号）が記録される。そして、検出器１８３からの出力信号に基づいて、フーリエ変換を用いて解析することで、眼の断層像（眼底断層像）を撮像する。すなわち、そのスペクトル情報が制御部１７０へと入力され、フーリエ変換を用いて解析することで、被検眼の深さ方向における情報が計測可能となる。
【００９５】
ここで、制御部１７０は、走査光学系１２３により測定光を眼底上で所定の横断方向に走査することにより断層像を取得できる。例えば、Ｘ方向もしくはＹ方向に走査することにより、被検眼眼底のＸＺ面もしくはＹＺ面における断層像（眼底断層像）を取得できる（なお、本実施形態においては、このように測定光を眼底に対して一次元走査し、断層像を得る方式をＢスキャンとする）。なお、取得された眼底断層像は、制御部１７０に接続されたメモリ１７２に記憶される。さらに、走査光学系１２３の駆動を制御して、測定光をＸＹ方向に二次元的に走査することにより、検出器１８３からの出力信号に基づき被検者眼眼底のＸＹ方向に関する二次元動画像や被検眼眼底の三次元画像を取得できる。
【００９６】
［固視標投影ユニット］
次に、固視標投影ユニット３００について説明する。固視標投影ユニット３００は、眼Ｅの視線方向を誘導するための光学系を有する。固視標投影ユニット３００は、眼Ｅに呈示する固視標を有し、複数の方向に眼Ｅを誘導できる。固視標投影ユニット３００は、第１実施例と同様の構成を備えてもよい。
【００９７】
固視標投影ユニット３００としては、例えば、マトリクス状に配列されたＬＥＤの点灯位置により固視位置を調整する構成、光源からの光を光スキャナによって走査させ、光源の点灯制御により固視位置を調整する構成、等、種々の構成が考えられる。また、投影ユニット３００は、内部固視灯タイプであってもよいし、外部固視灯タイプであってもよい。
【００９８】
［ダイクロイックミラー］
本実施例のＯＣＴ装置１０１は、例えば、ダイクロイックミラー１４０を備える。例えば、ダイクロイックミラー１４０は、ＯＣＴ光学系２００の測定光として用いられる波長成分の光を反射し、固視標投影ユニット３００に用いられる波長成分の光を透過する特性を有する。
【００９９】
＜制御系＞
また、制御部１７０には、表示モニタ１７５、メモリ１７２、操作部１７４、参照ミラー駆動部１５０、フォーカシングレンズ駆動部１２４ａ、光ファイバ１３８ｃの駆動機構１３４、後述する焦点距離可変１１２等が接続されている。
【０１００】
＜導光光学系＞
導光光学系１１０は、被検眼Ｅに測定光を導くために設けられる。導光光学系１１０は、例えば、対物レンズユニット１１１、集光位置可変系１１２等を備える。
【０１０１】
［集光位置可変系］
集光位置可変系１１２は、例えば、導光光学系１１０を通る測定光の集光位置を変化させる。集光位置可変系１１２は、例えば、光学素子の挿脱機構を備えてもよい。そして、集光位置可変系１１２は、導光光学系１１０の光軸に対して光学素子を挿脱することによって導光光学系１１０を通る測定光の集光位置を変化させてもよい。なお、集光位置可変系１１２として、例えば、屈折力を変更可能な屈折力可変系１１３が用いられてもよい。屈折力可変系１１３は、例えば、屈折力を変化させることによって、測定光の集光位置を変化させてもよい。
【０１０２】
なお、本実施例においては、集光位置可変系１１２として屈折力可変系１１３を用いた場合について説明する。屈折力可変系１１３は、例えば、屈折力を変化させることによって、測定光の集光位置を眼底部Ｅｒと前眼部Ｅｃで切り換える。なお、屈折力可変系１１３は、連続的に屈折力を変更してもよい。
【０１０３】
屈折力可変系１１３は、例えば、被検眼Ｅに対して対物レンズユニット１１１の奥側に配置される。本実施例においては、屈折力可変系１１３は、対物レンズユニット１１１とダイクロイックミラー１４０の間に配置される。ただし、屈折力可変系１１３は、対物レンズユニット１１１に関して被検眼側に配置されてもよいし、対物レンズユニット１１１の中間に配置されてもよい。
【０１０４】
図１０（ａ）は、屈折力可変系１１３の屈折力を制御して、測定光を眼底部Ｅｒに集光させたときの状態を示す。測定光を眼底部Ｅｒに集光させる場合、制御部１７０は屈折力可変系１１３を制御し、導光光学系１１０によって被検眼に照射される測定光が平行光束になるように、屈折力可変系１１３の屈折力を変化させる。被検眼が正視眼であれば、角膜及び水晶体等の屈折力によって、測定光は眼底Ｅｒに集光する。被検眼が正視眼でなければ、被検眼Ｅの屈折度数に合わせて屈折力可変系１１３の屈折力を調整してもよい。
【０１０５】
図１０（ｂ）は、屈折力可変系１１３の屈折力を制御して、測定光を前眼部Ｅｃに集光させたときの状態を示す。測定光を前眼部Ｅｃに集光させる場合、制御部１７０は屈折力可変系１１３を制御し、導光光学系１１０によって被検眼Ｅに照射される測定光が被検眼Ｅの前眼部Ｅｃに集光するように、屈折力可変系１１３の屈折力を変化させる。
【０１０６】
このように、屈折力可変系１１３は、屈折力可変系１１３自体を光軸Ｌ１１に対して移動されることなく、制御部１７０によって電気的に駆動されることで屈折力を変化させることができる。このため、屈折力可変系１１３は、光軸Ｌ１１に対して３次元的に固定されてもよい。
【０１０７】
なお、本実施例の屈折力可変系１１３は、例えば、液晶レンズ等を含む構成であってもよい。液晶レンズは、例えば、印加する電圧を制御することによって屈折力が連続的に変化する構造を備えるレンズである。
【０１０８】
＜眼底前眼切換方法＞
以上のような構成の眼科装置（ＯＣＴデバイス１）において、眼底部Ｅｒの撮影と前眼部Ｅｃの撮影の切り換えについて説明する。
【０１０９】
まず、眼底部Ｅｒを撮影する場合、制御部１７０は、導光光学系１１０から出射される測定光が平行光束になるように、屈折力可変系１１３を所定の屈折力に調整する。さらに、制御部１７０は参照ミラー駆動部１５０を制御して参照ミラー１３１を移動させ、光路長を調整する。例えば、制御部１７０は、予め設定された所定の第１位置に参照ミラー１３１を移動させる。これによって、参照ミラー１３１によって反射された参照光と、眼底部Ｅｒによって反射された測定光の光路長が等しくなり、ファイバーカップラー１２６にて参照光と測定光が合波されると干渉信号が生成される。検出器１８３は、この干渉信号を取得し、画像生成手段（例えば、制御部１７０）に送る。画像生成手段は、干渉信号を受け取ると、眼底断層画像Ｗ１（図１１参照）を取得する。
【０１１０】
続いて、前眼部Ｅｃの撮影に切り換える場合、制御部１７０は屈折力可変系１１３を制御して、測定光が前眼部Ｅｃに集光するように屈折力を調整する。例えば、前述のように、屈折力可変系１１３の屈折力を大きくし、測定光が前眼部Ｅｃに集光するように切り換える。さらに、制御部１７０は、参照ミラー駆動部１５０を制御して参照ミラー１３１を移動させ、光路長を調整する。例えば、制御部１７０は、予め設定された所定の第２位置に参照ミラー１３１を移動させる。これによって、参照ミラー１３１によって反射された参照光と、前眼部Ｅｃによって反射された測定光の光路長が等しくなり、ファイバーカップラー１２６にて参照光と測定光が合波されると干渉信号が生成させる。検出器１８３は、この干渉信号を取得し、画像生成手段に送る。画像生成手段は、干渉信号を受け取ると、前眼部断層画像Ｗ２を生成する（図１１参照）。
【０１１１】
以上のように、測定光の集光位置を切り換える際に参照ミラー１３１を切り換えることによって、眼底部Ｅｒと前眼部Ｅｃの両方の断層画像を取得することができる。制御部１７０は、前眼部Ｅｃと眼底部Ｅｒの断層画像を用いて被検眼の眼軸長を測定してもよい。このとき、眼底断層画像Ｗ１と前眼部断層画像Ｗ２は位置関係が左右逆になる場合があるため、制御部１７０は、どちらか一方の画像を反転させてから画像処理によって眼軸長を求めてもよい。
【０１１２】
さらに、制御部１７０は、少なくとも３つの異なる画角から測定された眼軸長を用いて眼球形状を分類してもよい。例えば、制御部１７０は、走査光学系１２３によって測定光源１２７からの測定光を、瞳孔等を支点として眼底上に走査し、異なる画角から眼軸長を測定してもよい。制御部１７０は、第１実施例と同様に、異なる画角から測定された眼軸長に基づいて、被検眼の眼球変形の種類を分類してもよい。
【０１１３】
なお、制御部１７０は、例えば、図１０（ｂ）に示すように、測定光源１２７からの測定光を平行光束として被検眼に照射する場合、例えば、固視誘導ユニット３００によって被検眼の固視を誘導し、視軸を測定光軸Ｌ１１に対して傾斜させてもよい。これによって、制御部１７０は、異なる画角から測定された眼軸長を取得し、被検眼の眼球変形のタイプを分類してもよい。
【０１１４】
もちろん、走査光学系１２３によって前眼部及び眼底部上に測定光を走査させることによって、異なる画角における眼軸長を測定し、眼球変形の種類を分類してもよい。
【０１１５】
なお、ＯＣＴの方式は、スペクトラルドメインＯＣＴであってもよし、スウェプトソースＯＣＴであってもよい。
【０１１６】
なお、前述では、屈折力可変素子（例えば、液晶レンズ、液体レンズなど）等を用いて屈折力を変化させる場合について説明したが、レンズ等の光学部材を駆動させて屈折力を変化させてもよい。また、参照ミラー１３１の位置を切り換える構成としたが、参照光学系に光路の異なる参照ミラーを複数設ける構成であってもよい。
【０１１７】
なお、上記の構成では、前眼部と眼底部の断層画像を別々に撮影する構成であるが、これに限らない。例えば、本装置は、前眼部と眼底部の断層画像を一度に撮影する構成であってもよい。例えば、干渉光学系は、前眼部と眼底部を一度に撮影できる測定範囲を持つ構成であってもよい。例えば、前眼部と眼底部を一度に撮影できる測定光源を備えてもよい。この場合、制御部１７０は、前眼部と眼底部が含まれる画像を画像処理することによって、被検眼の眼軸長を取得してもよい。
【０１１８】
なお、上記のように、被検眼の眼底断層像が取得される場合、例えば、制御部１７０は、黄斑または視神経乳頭などの位置を画像処理等によって検出することで、被検眼の固視が正しく行われているかどうか判定してもよい。そして、この判定結果に基づいて、制御部１７０は、固視位置を制御する、または、測定光を走査することによって、眼軸長の測地位置を変更してもよい。このようにして、被検眼の測定位置を安定させることによって被検眼の眼球形状の経過観察等を行い易くしてもよい。
【図１】
2016158906.tif 000003
【図２】
2016158906.tif 000004
【図３】
2016158906.tif 000005
【図４】
2016158906.tif 000006
【図５】
2016158906.tif 000007
【図６】
2016158906.tif 000008
【図７】
2016158906.tif 000009
【図８】
2016158906.tif 000010
【図９】
2016158906.tif 000011
【図１０】
2016158906.tif 000012
【図１１】
2016158906.tif 000013